(57)【要約】【課題】    本発明は、パチンコ台をテスト打ちするためのテスト打ち用操作ハンドル補助具に関し、打釘ゲージを調整する際、打球発射の安定した作動を提供できるテスト打ち用操作ハンドルに特殊なアース端子を有する接地技術を施し、パチンコ台の形態の多様化、取付部位の変化に対応したアース端子を有するテスト打ち用操作ハンドル補助具を提供するものである。【解決手段】  パチンコ機の打釘ゲージを調整する際に使用される導電性テスト打ち用操作ハンドル補助具において、パチンコ台前面に取り付けられている施錠用鍵穴に差込み、鍵穴を介して電気的接続ができる導電材からなるアース端子を備えたことを特徴とするパチンコ台用テスト打ち用操作ハンドル補助具。【選択図】  図１
2012231900.tif 000002
【特許請求の範囲】
【請求項１】
パチンコ機の打釘ゲージを調整する際に使用される導電性テスト打ち用操作ハンドル補助具において、パチンコ台前面に取り付けられている施錠用鍵穴に差込み、鍵穴を介して電気的接続ができる導電材からなるアース端子を備えたことを特徴とするパチンコ台用テスト打ち用操作ハンドル補助具。
【発明の詳細な説明】
【技術分野】
【０００１】
本発明は、パチンコ台をテスト打ちするためのテスト打ち用操作ハンドル補助具に関する。詳しくは、パチンコ台の打釘ゲージを調整する際、打球発射の安定した作動を提供できるテスト打ち用操作ハンドルに特殊なアース端子を有する接地技術を施し、パチンコ台の形態の多様化、取付部位の変化に対応したアース端子を有するテスト打ち用操作ハンドル補助具に関する。
【背景技術】
【０００２】
従来、パチンコホールにおいては数百台にも及ぶ多数のパチンコ機を設置しており、新規台の設置時や定期、非定期に打釘ゲージを調整して出玉率管理することが必須である。打釘ゲージの調整作業は１台毎に何時間も仕打ちを行う必要がある。
これを人手で行なう場合は非常に作業コストが掛かるため、パチンコ機の操作ハンドルに固定用ハンドルストッパーと呼ばれるテスト打ち用操作ハンドル補助具を使用して自動で仕打ちをさせ、出玉率の管理コストを下げることが必要であった。
【０００３】
しかし、規定上、風俗営業等の規制及び業務の適正化等に関する法律等関連規定の定めにより、操作ハンドルは人が押えて作業しなければならない。この解決には、ハンドルを接地（アース）することで自動で仕打ちをさせることで代用可能である。テスト打ち用操作ハンドル補助具を使用した場合には、これにリード線などでアースすることで解決してきた。例えば、パチンコ台の前面側の表面は、鉄又は鉄合金部材などの磁化可能導電材（金属部品）を多用する場合、これらは通常台内部にあるアース端子で接続されている。
このためテスト打ち用操作ハンドル補助具などのアースが必要な器具の場合、磁化可能導電材にアース線先端部を付設した磁石を吸着させパチンコ台のアースを取ることで解決してきた。
【０００４】
具体的には、下記特許文献１、２等が知られている。
特許文献１では、「テスト打ち用操作ハンドル補助具」によれば、「操作ハンドル補助具の・・」、・・「一方のヒンジにはアース線１６、磁石付きアース端２５を接続する。」（特許文献１明細書記載００２２）、「アース線１６を取ることにし、ツメを介して操作ハンドルに接地される。」（明細書記載００１５）との記載が認められる。
これにより、テスト打ち用操作ハンドル補助具は、アース線先端部の磁石を磁化可能なパチンコ台金属部に電気的にアースすることで接地できる様子が見られる。
【０００５】
特許文献２では、「パチンコ機用テスト打ち補助具」によれば、「導電性拘持部の先端部がハンドル本体の導電性部に接触するまで導電性拘持部を押込み、他方マグネットをパチンコ機の磁性体部に吸着させてアースを施す。」（特許文献１明細書記載０００７）、「他方アース用リード線５のマグネット７をパチンコ機５０の磁性体部５１に吸着させてアースを施す。」（明細書記載００１３）との記載が認められる。
これにより、パチンコ機用テスト打ち補助具は、マグネットをパチンコ機の磁性体部に吸着させて電気的にアースすることで接地できることが認められる。
【０００６】
特許文献３では、「パチンコ機用テスト打ち補助具」によれば、「・・・導電性ハンドルを縛る導電性バンドＢと、そのバンドＢから引き出したリード線１２に取付けてパチンコ機の磁性部に吸引部を吸着するマグネット１４とからなる・・・パチンコ機用テスト打ち補助具」（特許文献３明細書記載  公報第１頁左欄、実用新案登請求の範囲）との記載、また、「本考案は導電性バンドＢを、導電性ハンドル２２と固定絶縁２１とに巻きつけ、リード線１２に取付けたマグネット１４をパチンコ機の磁性鉄板２４に吸着により接合してアースを施し、・・・」（明細書記載  公報第２頁右欄１行ないし４行）との記載が認められる。
【０００７】
この文献には、リード線１２に取付けたマグネット１４をパチンコ機の磁性鉄板２４に吸着により接合してアースを部５１に吸着させることで接地できることが認められる。
特許文献４では、「固定絶縁物と回転可能な導電性ハンドルとからなり・・・導電性ハンドルを縛る導電性バンドＢと、そのバンドＢから引き出したリード線１２に取付けてパチンコ機の磁性部に吸着するマグネット１４とからなる・・パチンコ機用テスト打ち装置」（特許文献４明細書記載  第１頁、実用新案登請求の範囲）との記載が認められる。
【先行技術文献】
【特許文献】
【０００８】
【特許文献１】特開２００４−１２１５５９号公報
【特許文献２】実登３０３３９２１号公報
【特許文献３】実公平５−１０８５１号公報
【特許文献４】実開昭６３−１８４０８０号公報
【発明の概要】
【発明が解決しようとする課題】
【０００９】
しかしながら、最近のパチンコ台前面の部品は金属部品でもアルミや亜鉛などの非磁性材で製作されるようになってきており、磁石（マグネット）をパチンコ機の磁性体部に吸着させてアースを施すことができなくなってきた。
特許文献１に開示のテスト打ち用操作ハンドル補助具はアース接続しなければならないが、パチンコ台の前面が非磁性材の場合にはアース接続ができない問題が生じていた。このような場合には、別途パチンコ台を開き内部アースとリード線を繋ぐなどしなくてはならず、課題解決が図られていなかった。
また、特許文献２、３及び４にあっても、特許文献１と同様な課題があった。
【００１０】
以上から、かかる特許文献についてはアース線に付設した磁性体部を用いてパチンコ台の前面アースを実現する技術のみで、前面が非磁性材の場合にはアース接続ができない欠陥があった。
本発明は、このような事情のもとになされたものであり、簡単、確実にパチンコ台のアース接続可能なアース端子を具備するテスト打ち用操作ハンドル補助具に関するものである。
【課題を解決するための手段】
【００１１】
上記の課題を解決するために、本発明は、パチンコ機の打釘ゲージを調整する際に使用される導電性テスト打ち用操作ハンドル補助具において、パチンコ台前面に取り付けられている施錠用鍵穴に差込み、鍵穴を介して電気的接続ができる導電材からなるアース端子を備えたことを特徴とするパチンコ台用テスト打ち用操作ハンドル補助具により提供される。
【発明の効果】
【００１２】
本発明によれば、導電性テスト打ち用操作ハンドル補助具は必要最小限の構成でコストを抑え、簡単、確実にパチンコ台のアース接続を可能とした。
【図面の簡単な説明】
【００１３】
【図１】図１は本発明のアース端子を具備したテスト打ち用操作ハンドル補助具の基本的な形状の斜視図である。
【図２】図２は本発明のテスト打ち用操作ハンドル補助具の一実施例で実施形態１のアース端子の平面図である。
【図３】図３はアース端子をパチンコ台施錠用鍵穴へ挿入（接続）した状態の説明図である。
【図４】図４は本発明の他の実施形態２のアース端子の平面図である。
【図５】図５は本発明の他の実施形態３のアース端子の平面図である。
【図６】図６は本発明の他の実施形態４のアース端子の平面図（ａ）及びその側面図（ｂ）である。
【発明を実施するための形態】
【００１４】
以下に図面を参照しながら、本発明の実施するための形態について説明する。図１は本発明のテスト打ち用操作ハンドル補助具の斜視図である。
本発明は本件出願人等により発明され特許文献１に開示されたテスト打ち用操作ハンドル補助具１が適用できる。本発明のテスト打ち用操作ハンドル補助具１は新たに提供されるアース端子１０を備えたものからなる。
【００１５】
より具体的には、導電性素材からなるテスト打ち用操作ハンドル補助具１は丁番部２により２組の角度設定部１１、１２を接続し、ヒンジ８、ヒンジ９の角度を変化できるようにした。パチンコ台の操作ハンドルを把持するツメ３、ツメ４は角度設定部１１、ツメ５、ツメ６は角度設定部１２に一端で固定させた。角度設定部１１、１２はヒンジ８、９にそれぞれ配置され複数のツメからなる。
【００１６】
ヒンジ８、９は互いに角度自在にするため羽根形態の丁番部２とで組み立てられる。丁番部２は２枚のヒンジの長手方向の端部に鋸歯状の切り込みを入れ、ヒンジ端部を曲げ形成させた。この丁番部２はヒンジが互いに図１のような閉じる方向となるようバネ圧を持たせた。
具体的には、この２枚のヒンジ間の角度は図１のように平行から閉じる方向へのバネの力となることが必要である。丁番部及びツメのバネ弾性で保持し規制可能としたため円形その他の変形操作ハンドルにもバネが対応可能となる。
【００１７】
テスト打ち用操作ハンドル補助具１は導電性を持たせ２枚のヒンジの使用し、かつ、それらが互いに角度を持たせＳＵＳ４３０ステンレス製として、幅１５ｍｍ、鋸部分を含めた長さ２７．５ｍｍ、厚さ１．０ｍｍとした。ツメはＳＵＳ３０１−ＣＳＰステンレス製として、幅１５ｍｍ、展開長９０ｍｍ、応力解放時に半径３５ｍｍで半円となるよう形成し、厚さ０．８ｍｍのものを使用した。
【００１８】
また、ツメの数は実施例では４枚としたがこれに限定されない。複数枚、例えば６ないし８枚でも可能である。図の下側であるツメの末端側が変形したものでも良い。例えば、板材の側面に波打ち、ギザギザ形を設けたものでも良い。アースをツメ以外の他の位置で取れるようにすれば金属であることを要しない。
【００１９】
ここで、本発明のアース端子を以下定義する。材質的な特性としてアース端子は磁石、マグネットを除く導電材料からなることである。したがって、前述した特許文献１ないし４の明細書に記載された磁石、マグネットからなるアース端子ではない。さらに、パチンコ台前面へアース端子を磁石、マグネットの吸着によるアースを除外する意味を有する。
【００２０】
アース端子の実施形態１
図２に基づいて実施形態１のアース端子１０について説明する。本発明は、このアース端子１０の取り付け方法が近時非常に困難になってきたために考案された方法である。すべての図示しないパチンコ台は前面に施錠用錠が取り付けられており、錠及び施錠用鍵穴は導電材で製作され電気的にアースに接続していることと、施錠用鍵穴形状についても各社ほとんど大差ないことに着目し、考案された方法である。
【００２１】
図２のアース端子１０の構造としては、１本の導電性のある丸棒（直径１．２ｍｍ）で形成した。鍵穴挿入端１５はパチンコ台の錠の施錠用鍵穴１９に入る部分である。アース端子１０の中程にリング１４を設け、この中に指を入れ抜差しし易くしてある。丸棒はアース線接続部１３に装着したアース線７を介してテスト打ち用操作ハンドル補助具本体１と接続した。
【００２２】
図３（ａ）は、アース端子１０をパチンコ台の施錠用鍵穴１９に挿入する前の状態図、図３（ｂ）は、アース端子１０がパチンコ台の施錠用鍵穴１９に挿入された状態の説明図である。
バチンコ台前面１６、その面に付設された錠１８、その施錠用鍵穴１９のみ示しその他は図示していない。また、図３（ａ）のように、アース端子１０は、鍵穴挿入端１５、リング１４及びアース接続端子１３からなり、これに図２に示したようにアース接続端子１３を介してアース線７が接続されている。図３（ｂ）で、アース端子１０は、リング１４を人差し指に掛け、鍵穴挿入端１５を、矢印方向１７に移動し錠の施錠用鍵穴１９に挿入する。
【００２３】
本発明では鍵穴挿入端１５はつぎの設計値を用いた。パチンコ台前面に装着された錠１８として、オムロンアミューズメント株式会社製Ｗ２ＰＥ（錠）を使用した場合、これに対応した鍵（同社Ｗ２ＰＢ）と同一に挿入可能な形態が望ましい。しかしながら、コスト及び錠内で鍵を回転しないで簡単に抜けない引張力を持ったものが適当である。本発明のアース端子１０は、図２、後述する図４、図５及び図６の形態を採用した。すなわち、一般的な鍵の操作としての、錠の鍵内で回転はできない形態（すなわち、開錠する必要がない。）で、かつ、回転しないままでも施錠用鍵穴から大きな力を加えない限り抜け落ちない程度に設定した。
【００２４】
図２のアース端子１０の材質としては、導電材で先端の鋭角部分にバネ性が必要であり、ＳＵＳ３０４ＷＰＢを選定した。鍵穴挿入端１５は内半径１．３ｍｍ、曲げトルクとして、０．０１〜１０Ｎ・ｍ、望ましくは０．０２〜０．０５Ｎ・ｍに設定した。
本発明のアース端子１０の実施形態１では、アース端子１０の長さが約７２ｍｍ、施錠用鍵穴に挿入される先端、すなわち鍵穴挿入端１５の鋭角部分の長さは約２８ｍｍ、リング１４の直径は約２０ｍｍ、先端の鋭角部分の角度は約１２度とした。
【００２５】
このように前記設定値を考慮した結果、鍵穴挿入端１５の形状については、施錠用鍵穴１９に挿入しやすく、挿入後はある程度施錠用鍵穴１９の中に留まるように先端部分に角度（約１２度）を設け、アース端子が施錠用鍵穴１９に入るにしたがって縦方向が施錠用鍵穴１９より大きくなり施錠用鍵穴内で圧力がかかり、抜けにくい結果が得られた。引き出しに必要な引張力の範囲は２Ｎ〜５Ｎとした。
【００２６】
アース端子の実施形態２
図４は実施形態２の形状を示した図である。
図２の実施形態１に比較し、鍵穴挿入端２０の形態は水平方向にほぼ平行となるようにした。これにより、実施形態１のいわゆる図の左へ尖ったものに比較し、挿入・抜き出し（抜差し）が容易といった特徴が見いだされた。
【００２７】
アース端子の実施形態３
図５は実施形態３の形状を示した図である。
図２の実施形態１に比較し、鍵穴挿入端１５の形態はいわゆる蛇腹状に水平方向にほぼ先端に向け波打ち形態とし、三角突起２２，２３及び２４の形態で先細りにした。三角以外にもやや丸みを持たせたいわゆる正弦波形でも良い。鍵穴挿入端の先端部分２１は図２及び及び図３と同様、丸みを持たせた。鍵穴挿入端１５の全体の大きさは図２のアース端子１０とほぼ同じである。形態的には図２の実施形態１のいわゆる図の左へ尖ったものに比較し、図の左右にフレキシブルな伸縮が可能であり，使用時に抜け落ちにくい特徴が見いだされた。
【００２８】
アース端子の実施形態４
図６は実施形態４の形状を示した図で、（ａ）は平面図、（ｂ）は側面図である。
図２の実施形態１に比較し、鍵穴挿入端の形態はいわゆる市場で周知な鍵（キー）形態を採用したものである。鍵穴挿入端２６〜２８の全体の大きさは図２のアース端子１０とほぼ同じである。
【００２９】
しかながら、鍵穴挿入端の形態としては水平な鍵穴挿入端の先端部分２６、波打たせた部位２７、２８を通常のキーとは異なる形態とした。波打たせた部位２７、２８の図６の上下幅は図２のアース端子の上下幅とほぼ同じとした。アース線７はアース接続端２５に接続した。また、アース端子１０のやや広がった部位３０（図の右端）は接続端２９でアース接続端子からの端子に接続した。さらにアース端子２５にアース線を接続した。図２、図４及び図５の実施形態１に比べ普段馴染んだキー形態であるのでリング１４は不要であり、製造コスト面、強度等使いやすさに特徴が見いだされた。
【００３０】
上記実施態様４を除き、いずれも、リング１４を用いた、これはリング１４に指を入れて施錠用鍵穴１９への抜差しが容易にできるようにするためのものであるが、必須とするものではない。  なお、このアース端子１０の形態は、その形状、大きさ、材質については、各種パチンコ台の施錠用鍵穴１９に着目して、本発明者らは鋭意研究の結果、選定及び寸法並びに配置位置を決定したものである。
【００３１】
図４、図５及び図６はアース端子１０の他の実施形態の形状として示したが、これらは一実施例であり、また本発明はテスト打ち用操作ハンドル補助具１のアース端子１０をアースに接続する方法についてなされたものであり、表面が導電材など導通するものであれば限定されない。また、施錠用鍵穴１９に挿入できるものであれば図６のような板材形態や角材などを使用し、形状についても変更は可能である。
【００３２】
本発明のテスト打ち用操作ハンドル補助具を用いて打釘ゲージを調整する方法につき述べる。これにより、多数のパチンコ台をまとめて出玉率の管理をすることができる。まず、テスト打ち用操作ハンドル補助具１は図示しないパソコン本体のハンドルにツメ３ないしツメ６を介して取り付ける。さらに、操作ハンドル補助具１から導電的にアース線７、その端部のアース端子１０の鍵穴挿入端１５をパチンコ台に付設された錠の施錠用鍵穴１９に挿入する。これにより、テスト打ち用操作ハンドル補助具はアースを施すことができる。
【００３３】
ついで、図示しないハンドルに付設されたリング状レバーをテスト打ち用操作ハンドル補助具と一緒に回転させてモータ回路のスイッチをオン動作させる。これにより、パチンコ玉を打撃する打釘ゲージを調整を行う。リング状レバーは、その調整された位置でテスト打ち用操作ハンドル補助具のバネ弾力により保持されることになる。これによりハンドルを手で握ったときと同様に、テスト打ちが自動的に連続して実行される。なお、かかるテスト打ち状態の中止は、鍵穴挿入端１５を施錠用鍵穴１９から外すことで終了させることができる。
【符号の説明】
【００３４】
１  テスト打ち用操作ハンドル補助具
２  丁番部
３  ツメ
４  ツメ
５  ツメ
６  ツメ
７  アース線
８  ヒンジ
９  ヒンジ
１０  アース端子
１１  角度設定部
１２  角度設定部
１３  アース接続端子
１４  リング
１５  鍵穴挿入端
１６  バチンコ台前面
１７  矢印方向
１８  錠
１９  施錠用鍵穴
２０  鍵穴挿入端
２１  鍵穴挿入端の先端部分
２２  三角突起
２３  三角突起
２４  三角突起
２５  アース接続端子
２６  鍵穴挿入端の先端部分
２７  波打たせた部位
２８  波打たせた部位
２９  接続端
３０  広がった部位
【図１】
2012231900.tif 000003
【図２】
2012231900.tif 000004
【図３】
2012231900.tif 000005
【図４】
2012231900.tif 000006
【図５】
2012231900.tif 000007
【図６】
2012231900.tif 000008